(57)【要約】      （修正有）【課題】クーポン付きＣＭを視聴者が視聴した場合に、リモートコントローラなどを操作することなく、クーポンを自動的に取得する。【解決手段】分離回路１によって、トランスポートストリームから複数種類の番組やＣＭの映像ストリーム及び音声ストリームと、特定のＣＭを示すＣＭデータと、クーポン情報を示すクーポンデータが分離され、映像デコーダ２、音声デコーダ３及びデータデコーダ４によりデコードされる。データデコーダ４からの出力は受信部５で受信され、制御部１０によってヘッダ部とデータ部からなるＣＭデータとクーポンデータが受信される。制御部１０では、制御プログラム１２ａにしたがって処理が制御され、クーポンデータがクーポンデータメモリ１１に蓄積される。１つのＣＭに断続的にクーポンデータが付加されている場合、全てのクーポンデータが受信された時に制御部１０によってクーポンデータメモリ１１へのデータ蓄積が許可される。【選択図】図１
2008147985.tif 000002
【特許請求の範囲】
【請求項１】
クーポン付放送信号から分離されたデータストリーム中に含まれるクーポンデータを抽出可能とする受信手段と、該クーポン付放送信号の選択受信状態が所定期間継続したことを検出した場合に、該受信手段からのクーポンデータのクーポン情報を所定のメモリに自動的に蓄積制御する制御手段とを有するディジタル放送受信装置。
【請求項２】
前記クーポンデータは、前記データストリーム中の複数種類の番組および／またはコマーシャルデータに付加されている請求項１に記載のディジタル放送受信装置。
【請求項３】
前記クーポン付放送信号から前記データストリームを分離するデータ分離手段をさらに有する請求項１に記載のディジタル放送受信装置。
【請求項４】
前記データ分離手段は、前記クーポン付放送信号から、複数種類の番組および／またはコマーシャルの映像ストリームおよび音声ストリームをそれぞれ分離する請求項３に記載のディジタル放送受信装置。
【請求項５】
前記分離されたデータストリームをデコードするデータデコード手段をさらに有する請求項１または２に記載のディジタル放送受信装置。
【請求項６】
前記映像ストリームがデコードされて番組およびコマーシャルの映像信号を出力する映像デコード手段と、前記音声ストリームがデコードされて番組およびコマーシャルの音声信号を出力する音声デコード手段とをさらに有する請求項４に記載のディジタル放送受信装置。
【請求項７】
前記映像デコード手段から前記番組および／またはコマーシャルの映像信号を入力して表示するモニタと、
該モニタの電源のオン／オフを制御する映像制御部と、
前記音声デコード手段から該番組およびコマーシャルの音声信号を入力して音声出力するスピーカと、
該スピーカの電源のオン／オフを制御する音声制御部とをさらに有する請求項６に記載のディジタル放送受信装置。
【請求項８】
前記受信手段は、
前記データデコード手段からの出力を受信して、前記クーポンデータのヘッダ部およびデータ部が入力される受信バッファ手段と、
前記制御手段からクーポンヘッダコードが設定されるヘッダ設定手段と、
該クーポンデータのヘッダ部と該クーポンヘッダコードが一致した場合にフラグをセットする比較手段とを有する請求項５に記載のディジタル放送受信装置。
【請求項９】
前記受信バッファ手段は、前記データデコード手段からの出力を受信して、前記クーポンデータの入力に先立って、番組および／またはコマーシャルデータのヘッダ部およびデータ部を入力し、
前記ヘッダ設定手段は、前記制御手段から番組および／またはコマーシャルヘッダコードが設定され、
前記比較手段は、該番組および／またはコマーシャルデータのヘッダ部と、該番組および／またはコマーシャルヘッダコードが一致した場合にフラグをセットする請求項８に記載のディジタル放送受信装置。
【請求項１０】
前記制御手段は、前記クーポンデータの比較時に、前記比較手段からフラグの有無を検知して、該フラグ有りの場合に、前記受信バッファ手段から前記クーポンデータのデータ部を受信し、該クーポンデータが所定期間継続した番組および／またはコマーシャルに関する場合に、該クーポンデータのデータ部に含まれるクーポン情報を前記メモリに蓄積制御する請求項８に記載のディジタル放送受信装置。
【請求項１１】
前記制御手段は、
前記番組および／またはコマーシャルデータの比較時に前記比較手段からのフラグの有無を検知して、該フラグ有りの場合に、前記受信バッファ手段から前記番組および／またはコマーシャルデータのデータ部を受信し、
該データ部に含まれる所定情報に基づいて、次に続くクーポンデータが、所定期間継続した番組および／またはコマーシャルに関するものかどうかを検出し、
該次に続くクーポンデータの比較時に、前記比較手段からフラグの有無を検知して、該フラグ有りの場合に、前記受信バッファ手段から前記クーポンデータのデータ部を受信し、該クーポンデータのデータ部に含まれるクーポン情報を、該次に続くクーポンデータが、該所定期間継続した番組および／またはコマーシャルに関するものの場合に、前記メモリに蓄積制御する請求項９に記載のディジタル放送受信装置。
【請求項１２】
前記番組および／またはコマーシャルデータのデータ部には、番組および／またはコマーシャルデータを識別するための識別番号または記号と、クーポンを得るために必要なクーポンデータ数を示すヘッダ数とを有しており、該識別番号または記号は、前記所定情報として、後続のクーポンデータが該番組および／またはコマーシャルデータに関するものであるかどうかの検出に用い、該ヘッダ数は、該後続のクーポンデータが前記所定期間継続した番組および／またはコマーシャルに関するものであるかどうかの検出に用いる請求項１１に記載のディジタル放送受信装置。
【請求項１３】
前記番組および／またはコマーシャルデータには、前記データデコード手段から出力されるデータから該番組またはコマーシャルデータのデータ部を読み出す際に用いられるヘッダ部と、これに続くデータ部とが含まれ、
該データ部には、後続するクーポンデータが該番組またはコマーシャルデータに関するものであるか否かを検出するための番組またはコマーシャル番号または記号と、クーポンを得るために必要なクーポンデータ数を示すヘッダ数とが含まれている請求項５に記載のディジタル放送受信装置。
【請求項１４】
前記クーポンデータのデータ部には、該クーポンデータと関連する番組および／またはコマーシャルデータを識別するための識別番号または記号と、前記クーポン情報とを有しており、該識別番号または記号は、該クーポンデータが、これに先立って入力された番組および／またはコマーシャルデータに関するものであるか否かの検出に用いる請求項１０または１１に記載のディジタル放送受信装置。
【請求項１５】
前記クーポンデータには、前記データデコード手段から出力されるデータからクーポンデータのデータ部を読み出す際に用いられるヘッダ部と、これに続く該データ部とが含まれ、
該データ部には、該クーポンデータが、これに先立って入力された番組またはコマーシャルに関するものであるか否かを検出するための番組またはコマーシャル番号または記号と、前記クーポン情報として、クーポンの点数、有効期限、クーポンが有効な場所、スポンサーおよび商品を示すデータが含まれ、さらに、該クーポン情報以外の情報も付加可能である請求項５に記載のディジタル放送受信装置。
【請求項１６】
前記番組またはコマーシャルの映像ストリームおよび音声ストリームと同じ出力期間中に、該番組またはコマーシャルに関する複数の番組またはコマーシャルデータ、およびクーポンデータが断続的かつ断片的に送信されている場合に、前記制御手段は、該番組またはコマーシャルの映像ストリームおよび音声ストリームと同じ出力期間中に送信される該番組またはコマーシャルに関する複数の番組またはコマーシャルデータ、および複数のクーポンデータが全て受信された場合に、前記クーポン付放送信号の選択受信状態が所定期間継続したことを検出したものとして、該クーポンデータのデータ部に含まれるクーポン情報の前記メモリへの蓄積を許可する請求項４、６および７のいずれかに記載のディジタル放送受信装置。
【請求項１７】
前記制御手段は、前記番組またはコマーシャルデータのデータ部に含まれるヘッダ数と同数のクーポンデータが受信された場合に、該クーポンデータが、前記所定期間継続した番組および／またはコマーシャルに関するものである判定して、該クーポンデータのデータ部に含まれるクーポン情報の前記メモリへの蓄積を許可する請求項１０，１１および１４のいずれかに記載のディジタル放送受信装置。
【請求項１８】
前記メモリには、特定のクーポン名、有効期限、視聴地域、視聴時刻および特定のクーポンのポイント数のうちの少なくとも該特定のクーポン名および該ポイント数を含むクーポン情報が蓄積される請求項１に記載のディジタル放送受信装置。
【請求項１９】
前記映像ストリーム、前記音声ストリームおよび前記データストリームは、ＭＰＥＧ２規格により符号化されている請求項４に記載のディジタル放送受信装置。
【請求項２０】
前記クーポンデータは、該データストリーム中の複数の放送局データのそれぞれに付加されている請求項２に記載のディジタル放送受信装置。
【請求項２１】
前記制御手段は、
前記ヘッダ設定手段に前記番組および／またはコマーシャルヘッダコードを設定する手段と、
前記受信バッファ手段のヘッダ部に入力される前記番組および／またはコマーシャルデータのヘッダ部と該ヘッダ設定手段に設定されたヘッダコードとが一致したときに、前記比較手段にフラグをセットして、該比較手段によって割り込み信号を発生させる手段と、
該割り込み信号が該制御手段に通知されると、該受信バッファ手段から該番組および／またはコマーシャルデータのデータ部を受信して、該データ部に含まれる所定情報をメモリに一時的に保管する手段と、
該比較手段にフラグをリセットさせる手段と、
該ヘッダ設定手段にクーポンヘッダコードを設定する手段と、
前記受信バッファ手段のヘッダ部に入力される前記クーポンデータのヘッダ部と該クーポンヘッダコードとが一致したときに、該比較手段にフラグをセットして、該比較手段によって割り込み信号を発生させる手段と、
該割り込み信号が該制御手段に通知されると、該受信バッファ手段に入力されている該クーポンデータのデータ部を受信して、該データ部に含まれるクーポン情報をメモリに保管する手段と、
該比較手段のフラグをリセットさせる手段とを有する請求項９に記載のディジタル放送受信装置。
【請求項２２】
前記制御手段は、
前記クーポンデータが前記番組および／またはコマーシャルデータと同じ番組および／またはコマーシャルに関するものであるか否かを検出する手段と、
該クーポンデータが該番組および／またはコマーシャルデータと異なる番組および／またはコマーシャルに関するものの場合には、処理を終了し、該クーポンデータが該番組および／またはコマーシャルデータと同じ番組および／またはコマーシャルに関するものの場合には、該番組および／またはコマーシャルの映像ストリームおよび音声ストリームと同じ出力期間中に送信される該番組および／またはコマーシャルデータおよびクーポンデータが全て受信されたか否かを検出する手段と、
該番組および／またはコマーシャルデータおよびクーポンデータが全て受信された場合に、前記クーポン付放送信号の選択受信状態が所定期間継続したことを検出したものとして、該クーポンデータのデータ部に含まれるクーポン情報のメモリへの蓄積を許可する手段と、
この許可の場合に、該クーポンデータのクーポン情報を所定のメモリに自動的に蓄積させる手段とを有する請求項１、１１および２１のいずれかに記載のディジタル放送受信装置。
【請求項２３】
ディジタル放送を送信するディジタル放送送信装置と、該ディジタル放送送信装置からのクーポン付放送信号を受信する請求項１〜２２のいずれかに記載のディジタル放送受信装置とを備えたディジタル放送システムであって、
該ディジタル放送送信装置から、複数種類の番組およびコマーシャルの映像信号および音声信号が符号化された映像ストリームおよび音声ストリームが放送信号として出力され、広告主または放送局から各視聴者に対してクーポンサービスの提供が行われる場合に、該複数種類の番組およびコマーシャルのうちクーポンが付加された番組および／またはコマーシャルデータおよび、該番組および／またはコマーシャルに付加されるクーポンデータを含むデータストリームが該映像ストリームおよび音声ストリームと時分割多重化された多重放送信号として出力され、
該多重放送信号が該ディジタル放送受信装置によって受信されて、視聴者が所定の番組および／またはコマーシャルを視聴中に、該クーポン付放送信号の選択受信状態が所定期間継続したことを検出した場合に、前記メモリに該クーポンデータのクーポン情報が自動的に蓄積されるディジタル放送システム。
【請求項２４】
請求項１に記載のディジタル放送受信装置の制御手段によって、前記受信手段から前記番組データおよび／またはコマーシャルデータ、および前記クーポンデータを受信して、前記クーポン付放送信号の選択受信状態が所定期間継続したことを検出した場合に、該クーポンデータのクーポン情報を前記メモリに自動的に蓄積させるクーポン情報蓄積処理をコンピュータに実行させるための制御プログラム。
【請求項２５】
前記クーポン情報蓄積処理は、
前記制御手段によって前記ヘッダ設定手段に前記番組および／またはコマーシャルヘッダコードを設定するステップと、
前記受信バッファ手段のヘッダ部に入力される前記番組および／またはコマーシャルデータのヘッダ部と該ヘッダ設定手段に設定されたヘッダコードとが一致したときに、前記比較手段にフラグをセットして、該比較手段によって割り込み信号を発生させるステップと、
該割り込み信号が該制御手段に通知されると、該制御手段によって該受信バッファ手段から該番組および／またはコマーシャルデータのデータ部を受信して、該データ部に含まれる所定情報をメモリに一時的に保管するステップと、
該制御手段によって該比較手段にフラグをリセットさせるステップと、
該制御手段によって該ヘッダ設定手段にクーポンヘッダコードを設定するステップと、
前記受信バッファ手段のヘッダ部に入力される前記クーポンデータのヘッダ部と該クーポンヘッダコードとが一致したときに、該比較手段にフラグをセットして、該比較手段によって割り込み信号を発生させるステップと、
該割り込み信号が該制御手段に通知されると、該制御手段によって該受信バッファ手段に入力されている該クーポンデータのデータ部を受信して、該データ部に含まれるクーポン情報をメモリに保管するステップと、
該制御手段によって該比較手段のフラグをリセットさせるステップとを有する請求項２４に記載の制御プログラム。
【請求項２６】
前記クーポン情報蓄積処理は、
前記制御手段によって、前記クーポンデータが前記番組および／またはコマーシャルデータと同じ番組および／またはコマーシャルに関するものであるか否かを検出するステップと、
該クーポンデータが該番組および／またはコマーシャルデータと異なる番組および／またはコマーシャルに関するものの場合には、処理を終了し、該クーポンデータが該番組および／またはコマーシャルデータと同じ番組および／またはコマーシャルに関するものの場合には、該番組および／またはコマーシャルの映像ストリームおよび音声ストリームと同じ出力期間中に送信される該番組および／またはコマーシャルデータおよびクーポンデータが全て受信されたか否かを検出するステップと、
該番組および／またはコマーシャルデータおよびクーポンデータが全て受信された場合に、前記クーポン付放送信号の選択受信状態が所定期間継続したことを検出したものとして、該クーポンデータのデータ部に含まれるクーポン情報のメモリへの蓄積を許可するステップと、この許可の場合に、該クーポンデータのクーポン情報を所定のメモリに自動的に蓄積させるステップとを有する請求項２４または２５に記載の制御プログラム。
【請求項２７】
請求項２４〜２６のいずれかに記載の制御プログラムが記録されたコンピュータ読み出し可能な可読記録媒体。
【発明の詳細な説明】
【技術分野】
【０００１】
本発明は、例えばＴＶコマーシャルや番組などを見た視聴者に対してクーポンを発行可能とするディジタル放送受信装置、これを用いたディジタル放送システム、これに用いられる制御プログラムおよびこの制御プログラムが記録されたコンピュータ読み出し可能な可読記録媒体に関する。
【背景技術】
【０００２】
近年、ＢＳ、ＣＳおよび地上波ディジタル放送が既に開始されている。このディジタル放送では、ＭＰＥＧ（Ｍｏｖｉｎｇ  Ｐｉｃｔｕｒｅ  Ｅｘｐｅｒｔｓ  Ｇｒｏｕｐ）２などの圧縮技術を採用することによって多チャンネル化が可能とされている。この多チャンネル化によって、１度に放送される番組数が極めて多くなるため、広告放送（コマーシャル、以下、ＣＭという）の放送数も増大させることが可能となる。
【０００３】
ＣＭを多くの人に見てもらうためには、視聴者を囲い込むために、個別の視聴者に対して、ポイントまたはクーポンなどの直接的なメリットを供与する方法が有効である。
【０００４】
従来、ディジタル放送送信装置から、制作された番組の映像信号および音声信号が、例えばＭＰＥＧ２規格などの符号化方式により符号化されて、映像コンテンツおよび音声コンテンツとして映像ストリームおよび音声ストリームが出力される。また、ＣＭ用の映像信号および音声信号についても、例えばＭＰＥＧ２規格などの符号化方式により符号化されて、映像ＣＭおよび音声ＣＭとして映像ストリームおよび音声ストリームが出力される。さらに、ポイントに応じて、広告主または放送局などから各視聴者に対してサービスの提供が行われる場合には、ＣＭに付加される加点情報としてポイント情報が出力されるようになっている。これらのコンテンツ、ＣＭおよびポイント情報は、時分割多重化されて、多重放送信号として出力されている。この多重放送信号がディジタル放送受信装置によって受信されて、視聴者がＣＭを視聴することによって、視聴者がポイント情報に応じたサービスの提供を受けることが可能となる。このような従来のディジタル放送送信装置およびディジタル放送受信装置は、例えば特許文献１に開示されている。
【０００５】
図６は、特許文献１に開示された従来のディジタル放送受信装置の要部構成例を示すブロック図である。
【０００６】
図６において、従来のディジタル放送受信装置５０は、放送信号を各種情報に分離するデマルチプレクサ５１と、番組コンテンツおよびＣＭ特定情報をデコードするデコーダ５２と、ポイント情報をデコードするデータデコーダ５３と、ポイント情報とＣＭとの対応情報をデコードするプログラムマップデコーダ５４と、視聴者がＣＭを視聴して所定の操作をしたかどうかを示す操作検出信号を出力する操作検出部５５と、これらのＣＭ特定情報、ポイント情報および対応情報からポイントを発生させるポイント発生部５６と、操作検出部５５からの操作検出信号の入力時にポイント発生部５６からのポイントを加算する加算部５７と、ポイント数の累積値を記憶するメモリ５８と、その記憶されたポイント数の累積値を表示制御可能とする表示制御部５９と、その番組コンテンツおよびＣＭと共に、ポイント数の累積値を表示画面上に表示するモニタ６０とを有している。
【０００７】
デマルチプレクサ５１には、図示しないディジタル放送送信装置によって作成された放送信号が受信されたのち、放送信号が入力されて、この放送信号から、ビデオストリーム、オーディオストリーム、プライベートストリームおよびプログラムマップテーブルに分離され、分離されたビデオストリームおよびオーディオストリームはデコーダ５２に供給され、分離されたプライベートストリームはデータデコーダ５３に供給され、分離されたプログラムマップテーブルはプログラムマップデコーダ５４に供給されている。
【０００８】
デコーダ５２は、受信した放送信号には番組コンテンツおよびＣＭが含まれており、この放送信号から分離されたビデオストリームおよびオーディオストリームから、番組コンテンツの映像信号および音声信号並びにＣＭの映像信号および音声信号をデコードしてモニタ６０に標示出力する。また、デコーダ５２は、現在出力中のＣＭの映像信号および音声信号がいずれのＣＭに対応したものであるかを示すＣＭ特定情報をポイント発生部５６に出力する。
【０００９】
データデコーダ５３は、プライベートストリームにポイント情報が含まれており、プライベートストリームデータからポイント情報をデコードしてポイント発生部５６に出力する。
【００１０】
プログラムマップデコーダ５４は、プログラムマップテーブルに、ポイント情報とＣＭとの対応情報が含まれており、プログラムマップテーブルからその対応情報をデコードしてポイント発生部５６に出力する。
【００１１】
操作検出部５５の端子５５ａには、ＣＭを視聴した視聴者がＣＭに応答して行った所定の操作、例えばリモートコントローラなどの所定の操作に基づく操作信号が入力される。操作検出部５５には、端子５５ａから操作信号が入力されて、視聴者がＣＭを視聴して所定の操作を行ったことを示す操作検出信号が操作検出部５５から加算部５７に出力される。
【００１２】
ポイント発生部５６は、データデコーダ５３からのポイント情報が順次供給され、プログラムマップデコーダ５４からの対応情報と、デコーダ５２からのＣＭ特定情報とを用いて現在表示中のＣＭに設定されたポイント情報が検出される。ポイント発生部５６は、そのポイント情報に基づくポイントを、現在表示中のＣＭに対するポイントとして加算部５７に出力する。
【００１３】
加算部５７は、メモリ５８との間でポイントデータの送受信が行われる。加算部５７にはポイント発生部５６からポイントが供給され、加算部５７に操作検出部５５からの操作検出信号が入力されると、メモリ５８から読み出されたポイント数にポイント発生部５６からのポイントが加算されて、メモリ５８のポイント数が更新される。
【００１４】
メモリ５８には、ポイント数の累積値が記憶される。また、メモリ５８に図示しない制御装置からポイント数の初期化命令が与えられた場合には、ポイント数の累積値が例えば’０’に初期化される。また、視聴者がサービスの提供を受けるためにポイントを使用した場合には、メモリ５８に図示しない制御装置によって、メモリ５８に記憶されているポイント数から使用されたポイント数を減算した値がポイント数としてメモリ５８に記憶される。
【００１５】
表示制御部５９は、メモリ５８に記憶されているポイント数の累積値が読み出され、そのポイント数の累積値を画面表示するための表示信号が作成されて、例えば視聴者の操作に基づいてモニタ６０の表示画面上にポイント数の累積値を表示出力するように制御が為される。また、表示制御部５９は、このポイント数の累積値の表示制御の他に、そのＣＭのポイントなどを表示制御する。
【００１６】
モニタ６０は、表示画面上に、デコーダ５２からの番組コンテンツおよびＣＭが映し出されると共に、表示制御部５９からのポイント数の累積値における表示信号に基づく表示が行われる。
【００１７】
なお、ＣＭにポイントが設定されている場合には、データデコーダ５３によって、その旨を示す表示がモニタ６０の表示画面上に表示される。これによって、視聴者は、ＣＭにポイントが設定されているどうかが分かり、ＣＭに応答して所定の操作を行うことができる。
【００１８】
例えば特許文献２に開示されている従来のディジタル放送システムでは、視聴者への特典などを示すデータが複数に分割され、番組中にＣＭが複数回挿入されており、各ＣＭに分割されたデータが多重化されてディジタル放送送信装置から送信される。このディジタル放送受信装置によって全ての分割されたデータが受信されたときに、それらのデータが一つのデータとして再生されて、視聴者に特典が提示される。また、ＣＭの一部または全部が視聴されずに、例えばＣＭの間は他のチャンネルに変えられた場合などには、データは再生されず、視聴者に特典が提示されない。さらに、特典の提示を見た視聴者が、リモートコントローラなどを操作することによって、その特典が視聴者に提供される。
【特許文献１】特開２０００−１１５７２６号公報
【特許文献２】特開２００６−５０２７８号公報
【発明の開示】
【発明が解決しようとする課題】
【００１９】
しかしながら、上記従来技術には、以下のような問題がある。
【００２０】
上記従来のディジタル放送受信装置では、ポイントやクーポンが付加されたＣＭが流れているときに、視聴者がそのＣＭを視聴中にリモートコントローラなどを操作する必要があるため、視聴者がＣＭを視聴していても手が塞がっている場合、あるいはスイッチを押すタイミングが遅れた場合などに、そのポイントやクーポンの取得を失敗する虞がある。
【００２１】
また、ポイントやクーポン付きＣＭを流して無条件にポイントやクーポンを取得することができるようにすると、視聴されることなくポイントやクーポンだけが取得されてしまうという問題もある。
【００２２】
そこで、視聴されることなくポイントやクーポンだけが取得されることを防ぎ、ＣＭの視聴をより確実なものにする必要がある。
【００２３】
本発明は、上記従来の問題を解決するもので、ポイントやクーポンが付加されたＣＭや番組を視聴者が視聴した場合に、視聴者がリモートコントローラなどを操作することなく、ポイントやクーポンを容易かつ確実に取得することができるディジタル放送受信装置、このディジタル放送受信装置を用いたディジタル放送システム、これに用いる制御プログラムおよびこの制御プログラムが記録されたコンピュータ読み出し可能な可読記録媒体を提供することを目的とする。
【課題を解決するための手段】
【００２４】
本発明のディジタル放送受信装置は、クーポン付放送信号から分離されたデータストリーム中に含まれるクーポンデータを抽出可能とする受信手段と、該クーポン付放送信号の選択受信状態が所定期間継続したことを検出した場合に、該受信手段からのクーポンデータのクーポン情報を所定のメモリに自動的に蓄積制御する制御手段とを有するものであり、そのことにより上記目的が達成される。
【００２５】
また、好ましくは、本発明のディジタル放送受信装置におけるクーポンデータは、前記データストリーム中の複数種類の番組および／またはコマーシャルデータに付加されている。
【００２６】
さらに、好ましくは、本発明のディジタル放送受信装置における前記クーポン付放送信号から前記データストリームを分離するデータ分離手段をさらに有する。
【００２７】
さらに、好ましくは、本発明のディジタル放送受信装置におけるデータ分離手段は、前記クーポン付放送信号から、複数種類の番組および／またはコマーシャルの映像ストリームおよび音声ストリームをそれぞれ分離する。
【００２８】
さらに、好ましくは、本発明のディジタル放送受信装置において、前記分離されたデータストリームをデコードするデータデコード手段をさらに有する。
【００２９】
さらに、好ましくは、本発明のディジタル放送受信装置において、前記映像ストリームがデコードされて番組およびコマーシャルの映像信号を出力する映像デコード手段と、前記音声ストリームがデコードされて番組およびコマーシャルの音声信号を出力する音声デコード手段とをさらに有する。
【００３０】
さらに、好ましくは、本発明のディジタル放送受信装置において、前記映像デコード手段から前記番組および／またはコマーシャルの映像信号を入力して表示するモニタと、該モニタの電源のオン／オフを制御する映像制御部と、前記音声デコード手段から該番組およびコマーシャルの音声信号を入力して音声出力するスピーカと、該スピーカの電源のオン／オフを制御する音声制御部とをさらに有する。
【００３１】
さらに、好ましくは、本発明のディジタル放送受信装置における受信手段は、前記データデコード手段からの出力を受信して、前記クーポンデータのヘッダ部およびデータ部が入力される受信バッファ手段と、前記制御手段からクーポンヘッダコードが設定されるヘッダ設定手段と、該クーポンデータのヘッダ部と該クーポンヘッダコードが一致した場合にフラグをセットする比較手段とを有する。
【００３２】
さらに、好ましくは、本発明のディジタル放送受信装置における受信バッファ手段は、前記データデコード手段からの出力を受信して、前記クーポンデータの入力に先立って、番組および／またはコマーシャルデータのヘッダ部およびデータ部を入力し、前記ヘッダ設定手段は、前記制御手段から番組および／またはコマーシャルヘッダコードが設定され、  前記比較手段は、該番組および／またはコマーシャルデータのヘッダ部と、該番組および／またはコマーシャルヘッダコードが一致した場合にフラグをセットする。
【００３３】
さらに、好ましくは、本発明のディジタル放送受信装置における制御手段は、前記クーポンデータの比較時に、前記比較手段からフラグの有無を検知して、該フラグ有りの場合に、前記受信バッファ手段から前記クーポンデータのデータ部を受信し、該クーポンデータが所定期間継続した番組および／またはコマーシャルに関する場合に、該クーポンデータのデータ部に含まれるクーポン情報を前記メモリに蓄積制御する。
【００３４】
さらに、好ましくは、本発明のディジタル放送受信装置における制御手段は、前記番組および／またはコマーシャルデータの比較時に前記比較手段からのフラグの有無を検知して、該フラグ有りの場合に、前記受信バッファ手段から前記番組および／またはコマーシャルデータのデータ部を受信し、該データ部に含まれる所定情報に基づいて、次に続くクーポンデータが、所定期間継続した番組および／またはコマーシャルに関するものかどうかを検出し、該次に続くクーポンデータの比較時に、前記比較手段からフラグの有無を検知して、該フラグ有りの場合に、前記受信バッファ手段から前記クーポンデータのデータ部を受信し、該クーポンデータのデータ部に含まれるクーポン情報を、該次に続くクーポンデータが、該所定期間継続した番組および／またはコマーシャルに関するものの場合に、前記メモリに蓄積制御する。
【００３５】
さらに、好ましくは、本発明のディジタル放送受信装置における番組および／またはコマーシャルデータのデータ部には、番組および／またはコマーシャルデータを識別するための識別番号または記号と、クーポンを得るために必要なクーポンデータ数を示すヘッダ数とを有しており、該識別番号または記号は、前記所定情報として、後続のクーポンデータが該番組および／またはコマーシャルデータに関するものであるかどうかの検出に用い、該ヘッダ数は、該後続のクーポンデータが前記所定期間継続した番組および／またはコマーシャルに関するものであるかどうかの検出に用いる。
【００３６】
さらに、好ましくは、本発明のディジタル放送受信装置における番組および／またはコマーシャルデータには、前記データデコード手段から出力されるデータから該番組またはコマーシャルデータのデータ部を読み出す際に用いられるヘッダ部と、これに続くデータ部とが含まれ、
該データ部には、後続するクーポンデータが該番組またはコマーシャルデータに関するものであるか否かを検出するための番組またはコマーシャル番号または記号と、クーポンを得るために必要なクーポンデータ数を示すヘッダ数とが含まれている。
【００３７】
さらに、好ましくは、本発明のディジタル放送受信装置において、前記クーポンデータのデータ部には、該クーポンデータと関連する番組および／またはコマーシャルデータを識別するための識別番号または記号と、前記クーポン情報とを有しており、該識別番号または記号は、該クーポンデータが、これに先立って入力された番組および／またはコマーシャルデータに関するものであるか否かの検出に用いる。
【００３８】
さらに、好ましくは、本発明のディジタル放送受信装置におけるクーポンデータには、前記データデコード手段から出力されるデータからクーポンデータのデータ部を読み出す際に用いられるヘッダ部と、これに続く該データ部とが含まれ、該データ部には、該クーポンデータが、これに先立って入力された番組またはコマーシャルに関するものであるか否かを検出するための番組またはコマーシャル番号または記号と、前記クーポン情報として、クーポンの点数、有効期限、クーポンが有効な場所、スポンサーおよび商品を示すデータが含まれ、さらに、該クーポン情報以外の情報も付加可能である。
【００３９】
さらに、好ましくは、本発明のディジタル放送受信装置において、前記番組またはコマーシャルの映像ストリームおよび音声ストリームと同じ出力期間中に、該番組またはコマーシャルに関する複数の番組またはコマーシャルデータ、およびクーポンデータが断続的かつ断片的に送信されている場合に、前記制御手段は、該番組またはコマーシャルの映像ストリームおよび音声ストリームと同じ出力期間中に送信される該番組またはコマーシャルに関する複数の番組またはコマーシャルデータ、および複数のクーポンデータが全て受信された場合に、前記クーポン付放送信号の選択受信状態が所定期間継続したことを検出したものとして、該クーポンデータのデータ部に含まれるクーポン情報の前記メモリへの蓄積を許可する。
【００４０】
さらに、好ましくは、本発明のディジタル放送受信装置における制御手段は、前記番組またはコマーシャルデータのデータ部に含まれるヘッダ数と同数のクーポンデータが受信された場合に、該クーポンデータが、前記所定期間継続した番組および／またはコマーシャルに関するものである判定して、該クーポンデータのデータ部に含まれるクーポン情報の前記メモリへの蓄積を許可する。
【００４１】
さらに、好ましくは、本発明のディジタル放送受信装置におけるメモリには、特定のクーポン名、有効期限、視聴地域、視聴時刻および特定のクーポンのポイント数のうちの少なくとも該特定のクーポン名および該ポイント数を含むクーポン情報が蓄積される。
【００４２】
さらに、好ましくは、本発明のディジタル放送受信装置における映像ストリーム、前記音声ストリームおよび前記データストリームは、ＭＰＥＧ２規格により符号化されている。
【００４３】
さらに、好ましくは、本発明のディジタル放送受信装置におけるクーポンデータは、該データストリーム中の複数の放送局データのそれぞれに付加されている。
【００４４】
さらに、好ましくは、本発明のディジタル放送受信装置における制御手段は、前記ヘッダ設定手段に前記番組および／またはコマーシャルヘッダコードを設定する手段と、前記受信バッファ手段のヘッダ部に入力される前記番組および／またはコマーシャルデータのヘッダ部と該ヘッダ設定手段に設定されたヘッダコードとが一致したときに、前記比較手段にフラグをセットして、該比較手段によって割り込み信号を発生させる手段と、該割り込み信号が該制御手段に通知されると、該受信バッファ手段から該番組および／またはコマーシャルデータのデータ部を受信して、該データ部に含まれる所定情報をメモリに一時的に保管する手段と、該比較手段にフラグをリセットさせる手段と、該ヘッダ設定手段にクーポンヘッダコードを設定する手段と、前記受信バッファ手段のヘッダ部に入力される前記クーポンデータのヘッダ部と該クーポンヘッダコードとが一致したときに、該比較手段にフラグをセットして、該比較手段によって割り込み信号を発生させる手段と、該割り込み信号が該制御手段に通知されると、該受信バッファ手段に入力されている該クーポンデータのデータ部を受信して、該データ部に含まれるクーポン情報をメモリに保管する手段と、該比較手段のフラグをリセットさせる手段とを有する。
【００４５】
さらに、好ましくは、本発明のディジタル放送受信装置における制御手段は、前記クーポンデータが、前回入力された番組および／またはコマーシャルデータと同じ番組および／またはコマーシャルに関するものであるか否かを検出する手段と、該クーポンデータが、前回入力された番組および／またはコマーシャルデータと異なる番組および／またはコマーシャルに関するものの場合には、処理を終了し、該クーポンデータが、前回入力された番組および／またはコマーシャルデータと同じ番組および／またはコマーシャルに関するものの場合には、該番組および／またはコマーシャルの映像ストリームおよび音声ストリームと同じ出力期間中に送信される該番組および／またはコマーシャルデータおよびクーポンデータが全て受信されたか否かを検出する手段と、該番組および／またはコマーシャルデータおよびクーポンデータが全て受信された場合に、前記クーポン付放送信号の選択受信状態が所定期間継続したことを検出したものとして、該クーポンデータのデータ部に含まれるクーポン情報のメモリへの蓄積を許可する手段と、この許可の場合に、該クーポンデータのクーポン情報を所定のメモリに自動的に蓄積させる手段とを有する。
【００４６】
本発明のディジタル放送システムは、ディジタル放送を送信するディジタル放送送信装置と、該ディジタル放送送信装置からのクーポン付放送信号を受信する本発明の上記ディジタル放送受信装置とを備えたディジタル放送システムであって、該ディジタル放送送信装置から、複数種類の番組およびコマーシャルの映像信号および音声信号が符号化された映像ストリームおよび音声ストリームが放送信号として出力され、広告主または放送局から各視聴者に対してクーポンサービスの提供が行われる場合に、該複数種類の番組およびコマーシャルのうちクーポンが付加された番組および／またはコマーシャルデータおよび、該番組および／またはコマーシャルに付加されるクーポンデータを含むデータストリームが該映像ストリームおよび音声ストリームと時分割多重化された多重放送信号として出力され、該多重放送信号が該ディジタル放送受信装置によって受信されて、視聴者が所定の番組および／またはコマーシャルを視聴中に、該クーポン付放送信号の選択受信状態が所定期間継続したことを検出した場合に、前記メモリに該クーポンデータのクーポン情報が自動的に蓄積されるものであり、そのことにより上記目的が達成される。
【００４７】
本発明の制御プログラムは、本発明の上記ディジタル放送受信装置の制御手段によって、前記受信手段から前記番組データおよび／またはコマーシャルデータ、および前記クーポンデータを受信して、前記クーポン付放送信号の選択受信状態が所定期間継続したことを検出した場合に、該クーポンデータのクーポン情報を前記メモリに自動的に蓄積させるクーポン情報蓄積処理をコンピュータに実行させるためのものであり、そのことにより上記目的が達成される。
【００４８】
また、好ましくは、本発明の制御プログラムにおけるクーポン情報蓄積処理は、前記制御手段によって前記ヘッダ設定手段に前記番組および／またはコマーシャルヘッダコードを設定するステップと、前記受信バッファ手段のヘッダ部に入力される前記番組および／またはコマーシャルデータのヘッダ部と該ヘッダ設定手段に設定されたヘッダコードとが一致したときに、前記比較手段にフラグをセットして、該比較手段によって割り込み信号を発生させるステップと、該割り込み信号が該制御手段に通知されると、該制御手段によって該受信バッファ手段から該番組および／またはコマーシャルデータのデータ部を受信して、該データ部に含まれる所定情報をメモリに一時的に保管するステップと、該制御手段によって該比較手段にフラグをリセットさせるステップと、該制御手段によって該ヘッダ設定手段にクーポンヘッダコードを設定するステップと、前記受信バッファ手段のヘッダ部に入力される前記クーポンデータのヘッダ部と該クーポンヘッダコードとが一致したときに、該比較手段にフラグをセットして、該比較手段によって割り込み信号を発生させるステップと、該割り込み信号が該制御手段に通知されると、該制御手段によって該受信バッファ手段に入力されている該クーポンデータのデータ部を受信して、該データ部に含まれるクーポン情報をメモリに保管するステップと、該制御手段によって該比較手段のフラグをリセットさせるステップとを有する。
【００４９】
さらに、好ましくは、本発明の制御プログラムにおけるクーポン情報蓄積処理は、前記制御手段によって、前記クーポンデータが前回と同じ番組および／またはコマーシャルに関するものであるか否かを検出するステップと、該クーポンデータが前回と異なる番組および／またはコマーシャルに関するものの場合には、処理を終了し、該クーポンデータが前回と同じ番組および／またはコマーシャルに関するものの場合には、該番組および／またはコマーシャルの映像ストリームおよび音声ストリームと同じ出力期間中に送信される該番組および／またはコマーシャルデータおよびクーポンデータが全て受信されたか否かを検出するステップと、該番組および／またはコマーシャルデータおよびクーポンデータが全て受信された場合に、前記クーポン付放送信号の選択受信状態が所定期間継続したことを検出したものとして、該クーポンデータのデータ部に含まれるクーポン情報のメモリへの蓄積を許可するステップと、この許可の場合に、該クーポンデータのクーポン情報を所定のメモリに自動的に蓄積させるステップとを有する。
【００５０】
本発明の可読記録媒体は、本発明の上記制御プログラムが記録されたコンピュータ読み出し可能なものであり、そのことにより上記目的が達成される。
【００５１】
上記構成により、以下に、本発明の作用について説明する。
【００５２】
本発明では、クーポン付放送信号から分離されたデータストリーム中に含まれるクーポンデータを抽出可能とする受信手段と、クーポン付放送の選択受信状態を確認してこれが有効な場合（所定期間継続して放送を視聴した場合）に、該受信手段からのクーポンデータのクーポン情報を所定のメモリに自動的に蓄積制御する制御手段とを有している。これによって、クーポン付ＣＭなどのクーポン付放送が流れているときのテレビジョンの選択受信状態を制御手段が確認・管理して、これが有効な場合に、自動的にクーポン取得が可能となり、視聴者の所定の手動入力操作によるクーポン取得の失敗を回避することができる。
【００５３】
さらに詳細に説明すると、複数種類の番組および／またはＣＭの映像ストリームおよび音声ストリームと、番組および／またはＣＭデータと、番組および／またはＣＭデータに付加されるクーポンデータとを含むデータストリームとがデータ分離手段によって分離され、映像デコード手段、音声デコード手段およびデータデコード手段によってそれぞれデコードされる。このデータデコード手段からの出力は受信バッファ手段に入力されて、ヘッダ部およびデータ部からなる番組および／またはＣＭデータ、およびクーポンデータが抽出される。また、制御手段によって、ヘッダ設定手段に番組および／またはＣＭヘッダコード、またはクーポンヘッダコードが設定される。受信バッファ手段の入力データは、比較手段によって、そのヘッダ部がヘッダ設定手段に設定されたヘッダコードと一致するか否かが判定され、一致する場合にはフラグがセットされて割り込み信号により制御手段にその旨が通知される。制御手段においては、比較手段にフラグがセットされたことを検知すると、受信バッファ手段に入力されている番組および／またはＣＭデータのデータ部、およびクーポンデータのデータ部を受信し、クーポンデータのデータ部に含まれるクーポン情報をメモリに蓄積させる。これにより、制御手段によってクーポン付ＣＭが流れているときのテレビジョンの受信状態を確認および管理をして自動的にクーポン取得が可能となり、視聴者の手動入力操作によるクーポン取得の失敗を回避することが可能となる。
【００５４】
さらに、１つのＣＭに断続的かつ断片的にクーポンデータを付加して、複数のＣＭデータおよびクーポンデータが全て受信された場合に制御手段によってメモリへのデータ蓄積を許可させる。これにより、ＣＭの一部のみが視聴された場合にはクーポンが取得されないようにして、ＣＭの視聴をより確実なものにすることが可能となる。
【発明の効果】
【００５５】
以上により、本発明によれば、簡単なシステムにより、視聴者がクーポン付放送を視聴することによって手動入力操作を行わなくてもクーポンを自動的かつ確実に取得可能であり、クーポンの取り損ねを防ぐことができる。また、スポンサーにとっては、視聴者により確実にＣＭを視聴してもらうことができる。さらに、クーポンをメモリに蓄積させておくことによって、その後で本当に必要なクーポンを視聴者の判断によって選択して利用することができる。
【発明を実施するための最良の形態】
【００５６】
まず、本発明のディジタル放送受信装置を用いたディジタル放送システムの実施形態について説明する。
【００５７】
本発明のディジタル放送システムは、ディジタル放送送信装置とディジタル放送受信装置とを有しており、ディジタル放送送信装置から、制作された番組の映像信号および音声信号が、例えばＭＰＥＧ２規格などの符号化方式により符号化されて、映像コンテンツおよび音声コンテンツとして映像ストリームおよび音声ストリームがディジタル放送受信装置に送信されるようになっている。また、ＣＭ用の映像信号および音声信号についても、例えばＭＰＥＧ２規格などの符号化方式により符号化されて、映像ＣＭおよび音声ＣＭとして映像ストリームおよび音声ストリームがディジタル放送受信装置に送信されるようになっている。さらに、広告主または放送局などから各視聴者に対してクーポンサービスの提供が行われる場合には、クーポンが付加されるＣＭを示すＣＭデータおよびそのＣＭに付加されるクーポンを示すクーポンデータが出力されるようになっている。これらのコンテンツ、ＣＭデータおよびクーポンデータは、時分割多重化されて、多重放送信号としてディジタル放送受信装置に送信出力されるようになっている。なお、このディジタル放送送信装置は、従来から用いられているような構成とすることができる。
【００５８】
この多重放送信号がディジタル放送受信装置によって受信されて、視聴者がＣＭを視聴することによって、視聴者がクーポンデータに応じたサービスの提供を受けることが可能となる。但し、本発明のディジタル放送受信装置においては、視聴者がリモートコントローラなどを操作する必要がなく、ＣＭ視聴中に同時に送られてくるＣＭデータおよびクーポンデータを、ディジタル放送受信装置内において、クーポン付放送信号の選択受信状態が所定期間（ＣＭ放送の全部または、視聴してほしい重要な所定期間）継続したこと（視聴した場合）を検出した場合に、自動的に蓄積可能とされている。これによって、視聴者は、リモートコントローラなどを操作する必要がなく、そのクーポンを容易かつ確実に取得することができる。
【００５９】
以下、本発明のディジタル放送受信装置の実施形態について、図面を参照しながら詳細に説明する。
【００６０】
図１は、本発明の実施形態に係るディジタル放送受信装置の要部構成例を示すブロック図である。
【００６１】
図１において、本実施形態のディジタル放送受信装置３０は、テレビジョン放送受信装置であり、放送信号を各種情報に分離するデータ分離手段としてのデータ分離回路１と、データ分離回路１からのＴＶ映像ストリームをデコードする映像デコード手段としてのＴＶ映像デコーダ２と、データ分離回路１からのＴＶ音声ストリームをデコードする音声デコード手段としてのＴＶ音声デコーダ３と、データ分離回路１からのデータストリームをデコードするデータデコード手段としてのデータデコーダ４と、受信したデータストリーム中に含まれるＣＭデータおよびクーポンデータを抽出可能とする受信手段としての受信部５と、ＴＶ音声デコーダ３からの音声信号を音声に変換するスピーカ６と、スピーカ６を制御する音声制御部７と、ＴＶ映像デコーダ２からの映像信号により表示出力するモニタ８と、このモニタ８を制御する映像制御部９と、各部を制御すると共に、クーポンデータの蓄積制御処理を行う制御部１０と、制御部１０により制御されてクーポンデータが蓄積されるメモリ（記憶手段）としてのクーポンデータメモリ１１と、制御部１０によってクーポン取得処理を実行するための制御プログラム１２ａが格納された実行プログラムメモリ１２とを有している。
【００６２】
データ分離回路１には、ディジタル放送送信装置によって作成された放送信号（以下、トランスポートストリームという）が入力される。データ分離回路１では、この入力されたトランスポートストリームから、ＴＶ映像ストリーム、ＴＶ音声ストリームおよびデータストリームがそれぞれ分離され、それぞれがＴＶ映像デコーダ２、ＴＶ音声デコーダ３およびデータデコーダ４にそれぞれ供給される。なお、ＴＶ映像ストリームおよびＴＶ音声ストリームには番組コンテンツおよびＣＭコンテンツが含まれ、データストリームにはＣＭデータおよびクーポンデータなどが含まれている。
【００６３】
ＴＶ映像デコーダ２では、データ分離回路１から番組コンテンツおよびＣＭコンテンツのＴＶ映像ストリームが入力されてデコード（デジタル信号が符号化前の元の信号に復元）されて、この番組コンテンツの映像信号およびＣＭの映像信号をモニタ８の表示画面上に表示出力する。
【００６４】
ＴＶ音声デコーダ３は、データ分離回路１から番組コンテンツおよびＣＭコンテンツのＴＶ音声ストリームが入力されてデコード（デジタル信号が符号化前の元の信号に復元）されて、この番組コンテンツの音声信号およびＣＭの音声信号をスピーカ６に信号出力する。
【００６５】
データデコーダ４は、データ分離回路１からのデータストリームがデコード（デジタル信号が符号化前の元の信号に復元）されて、このデータストリーム中に含まれるＣＭデータおよびクーポンデータを受信部５に出力する。
【００６６】
受信部５は、データデコーダ４からのデータストリーム中に含まれるＣＭデータおよびクーポンデータが受信され、この受信データからＣＭデータおよびクーポンデータが抽出されて、制御部１０に送信される。
【００６７】
スピーカ６は、ＴＶ音声デコーダ３からの音声信号を受けて、番組またはＣＭの音声を音声出力する。
【００６８】
音声制御部７は、制御部１０によってスピーカ６の電源ＯＮ／ＯＦＦなど各種音声出力項目を制御する。
【００６９】
モニタ８は、ＴＶ映像デコーダ２からの映像信号を受けて、番組またはＣＭの映像を表示画面上に表示出力する。
【００７０】
映像制御部９は、制御部１０によってモニタ８の電源ＯＮ／ＯＦＦなど各種映像出力項目を制御する。
【００７１】
制御部１０は、受信部５からＣＭデータおよびクーポンデータの各データ部が抽出されて入力可能とされ、実行プログラムメモリ１２に格納された制御プログラム１２ａにしたがって、クーポンデータの所定のクーポン情報をクーポンデータメモリ１１に自動的に蓄積制御するクーポンデータ蓄積制御処理が為される。このクーポンデータ蓄積制御処理については、以下に、詳細に後述する。
【００７２】
図２は、図１の受信部５の要部構成例を示すブロック図である。
【００７３】
図２において、この受信部５は、ヘッダ部およびデータ部からなるクーポンデータを入力する受信バッファ手段としての受信バッファ２０と、クーポンヘッダコードが設定されるヘッダ設定手段としてのヘッダ設定レジスタ２１と、このクーポンデータのヘッダ部とクーポンヘッダコードが一致した場合にフラグをセットする比較手段としてのコンパレータ２２とを有している。
【００７４】
受信バッファ２０は、データデコーダ４から出力されたデータストリームを受信して、データストリーム中のＣＭデータおよびクーポンデータのヘッダ部およびデータ部を入力して、フラグセット時にそのデータ部を抽出可能とする。この受信バッファ２０に受信されるデータストリームはヘッダ部とデータ部とを有しており、これを、後述する図３に示している。
【００７５】
ヘッダ設定レジスタ２１には、制御部１０から送られてくるＣＭヘッダコードまたはクーポンヘッダコードが格納される。このヘッダコードは、制御部１０によって受信バッファ２０からＣＭデータおよびクーポンデータを読み出す際にコードとして用いられる。
【００７６】
コンパレータ２２は、ヘッダ設定レジスタ２１からの出力データ（レジスタに設定されたＣＭヘッダコードまたはクーポンヘッダコード）と、受信バッファ２０のヘッダ部からの出力データ（ＣＭデータまたはクーポンデータのヘッダ部）とが比較される。両者が一致した場合にのみ、コンパレータ２２のフラグがセットされ、コンパレータ２２から制御部１０に対して割り込み処理を行うように通知するための割り込み信号を出力する。
【００７７】
図３は、図２の受信バッファ２０に受信されるＣＭデータおよびクーポンデータのフォーマット例を示す図である。
【００７８】
図３において、受信データにはＣＭデータとクーポンデータとが含まれており、それぞれのフォーマットはヘッダ部とデータ部とから構成されている。
【００７９】
ＣＭデータのヘッダ部にはＣＭヘッダが、データ部にはＣＭ番号とＣＭヘッダ数が含まれている。ＣＭヘッダは、データデコーダ４から出力されるデータがＣＭデータであり、データ部のＣＭ番号とＣＭヘッダ数が続いて出力されることを制御部１０に知らせるという役割を有している。また、ＣＭ番号は、後続のクーポンデータがそのＣＭデータのものであるか否かを確認するためのものである。さらに、ＣＭヘッダ数は、クーポンを得るために必要なクーポンデータ数を表している。
【００８０】
一方、クーポンデータのヘッダ部にはクーポンヘッダが、データ部にはＣＭ番号、クーポンの点数、有効期限、クーポンが有効な場所（地域）、スポンサーおよび商品などを示すデータが含まれている。クーポンヘッダは、データデコーダ４から出力されるデータがクーポンデータであることを示しており、制御部１０によってクーポンデータを読み出す際に用いられる。データ部のＣＭ番号は、特定のＣＭデータに関するものか否かの確認を行うために用いられる。さらに、データ部にはクーポンに関する情報以外の情報を付随させることも可能である。
【００８１】
以下に、制御部１０による本実施形態のクーポンデータ蓄積制御処理について詳細に説明する。
【００８２】
制御部１０は、実行プログラムメモリ１２から制御プログラム１２ａが読み取られ、その制御プログラム１２ａにしたがってクーポンデータ蓄積制御処理が行われる。ＣＭデータとクーポンデータを得るために、制御部１０からＣＭヘッダまたはクーポンヘッダのデータがヘッダコードとしてヘッダ設定レジスタ２１に出力されて、ヘッダ設定レジスタ２１にヘッダコードが設定される。受信バッファ２０のヘッダ部からのデータがヘッダ設定レジスタ２１に設定されたデータと一致した場合、即ち、受信バッファ２０にＣＭヘッダまたはクーポンヘッダが受信されて、制御部１０にコンパレータ２２から割り込み信号が入力された場合に、制御部１０によって受信バッファ２０のデータ部からデータが受信される。受信されたデータは、制御部１０によって解析されて、ＣＭ番号およびクーポンヘッダ数が抽出されて、クーポンが有効であるか、または無効であるかが判定される。クーポンが有効である場合には、制御部１０によってクーポンデータメモリ１１に格納されている過去のクーポン情報と比較されて、クーポンデータが更新される。
【００８３】
ＣＭデータとクーポンデータの例について、図４を用いて詳細に説明する。
【００８４】
図４（ａ）に示すように、順次入力されるＣＭデータであるＣＭ１、ＣＭ２およびＣＭ３はそれぞれ、１つのＣＭ期間中に受信バッファ２０によって受信される、そのＣＭに関する特定のＣＭデータと複数のクーポンデータを含んでおり、それぞれＣＭ１、ＣＭ２およびＣＭ３がデータデコーダ４から時系列的に順次送信される状態が表されている。
【００８５】
ＣＭ１、ＣＭ２およびＣＭ３は、それぞれのＣＭ映像およびＣＭ音声がＴＶ映像デコーダ２およびＴＶ音声デコーダ３からデコードされて出力され、モニタ８の表示画面上に映像が表示され、これに対応してスピーカ６から音声が流れている期間に、断続的かつ断片的にデータデコーダ４から受信部５に送信されている。よって、このＣＭ１、ＣＭ２およびＣＭ３に関するＣＭデータとクーポンデータが受信されることは、それぞれのＣＭが視聴されたことを示す根拠となり得る。特に、昨今の携帯電話機に搭載されるワンセグメントテレビジョン受信装置では、ＴＶ画面を見ずに映像を表示させたままにしておくことは少ないため、ＴＶ画面にＣＭが表示されている場合にはＣＭが視聴されているものと考えてよく、そのときに、自動的にＣＭデータとクーポンデータが受信されてクーポンデータが蓄積されるという機能は、視聴者がいちいち入力操作してクーポンデータを蓄積させる手間が省けて便利である。さらに、それぞれのＣＭ１、ＣＭ２およびＣＭ３などにおいて、その期間中に送信される全てのＣＭデータとクーポンデータが取得されたということは、そのＣＭの全てが視聴されたという強固な理由付けとなるものと考えられる。
【００８６】
よって、本実施形態では、例えば、図４（ｂ）に示すＣＭ１は、ＣＭヘッダ数が”２”である場合の例であり、ＣＭヘッダはデータ部に、ＣＭ番号：１００と、ＣＭヘッダ数：２とを有している。このＣＭヘッダ数：２は、そのＣＭヘッダに続いて送信される同じＣＭ番号：１００をデータ部に有するクーポンヘッダが２回受信される必要があるということを意味している。ＣＭ番号：１００をデータ部に有するクーポンヘッダ１とクーポンヘッダ２は、データ部にそれぞれクーポンの点数およびクーポンの有効期限を有しており、これらが制御部１０により読み込まれて、クーポンの点数およびクーポンの有効期限が判別される。
【００８７】
図４（ｃ）に示すＣＭ２では、ＣＭヘッダ数が”３”である場合の例であり、ＣＭヘッダはデータ部にＣＭ番号：１０１とＣＭヘッダ数：３を有している。このＣＭヘッダ：３は、そのＣＭヘッダに続いて送信される同じＣＭ番号：１０１をデータ部に有するクーポンヘッダが３回受信される必要があるということを意味している。ＣＭ番号１０１をデータ部に有するクーポンヘッダ１、クーポンヘッダ２およびクーポンヘッダ３は、データ部にそれぞれクーポンの点数、クーポンの有効期限およびクーポンの有効な地域を有しており、これらが制御部１０により読み込まれて、クーポンの点数、クーポンの有効期限およびクーポンの有効な地域、例えば「大阪」が判別される。
【００８８】
図４（ｄ）に示すＣＭ３では、ＣＭヘッダ数が”４”である場合の例であり、ＣＭヘッダはデータ部にＣＭ番号：２００とＣＭヘッダ数：４を有している。このＣＭヘッダ数：４は、そのＣＭヘッダに続いて送信される同じＣＭ番号：２００をデータ部に有するクーポンヘッダが４回受信される必要があるということを意味している。ＣＭ番号２００をデータ部に有するクーポンヘッダ４は、データ部にクーポンの点数、クーポンの有効期限およびクーポンの有効な地域、例えば「大阪」を有しており、これらが制御部１０により読み込まれて、クーポンの点数、クーポンの有効期限およびクーポンの有効な地域が判別される。尚、この場合、クーポンヘッダ１、クーポンヘッダ２およびクーポンヘッダ３のデータ部にはクーポンの点数、有効期限、有効な地域等のデータはないが、クーポンを有効にするためには、それらのクーポンヘッダ１〜３の全部が受信される必要がある。
【００８９】
次に、制御部１０によって受信部５からＣＭデータおよびクーポンデータを受信して、クーポンデータをクーポンデータメモリ１１に蓄積させるクーポンデータ蓄積制御処理の各処理手順について、図５を用いて詳細に説明する。
【００９０】
図５は、図２の制御部１０のクーポンデータ蓄積制御処理として、制御部１０によって受信部５からＣＭデータおよびクーポンデータを受信して、クーポンデータをクーポンデータメモリ１１に蓄積させる処理を行うために用いられる制御プログラム１２ａの処理手順を説明するためのフローチャートである。
【００９１】
図５に示すように、まず、クーポンデータを受信部５により受信する受信処理について説明する。
【００９２】
まず、ステップａ１において、受信部５による受信処理が開始されると、ステップａ２において、制御部１０によってヘッダ設定レジスタ２１にＣＭヘッダコードが設定される。
【００９３】
次に、受信バッファ２０のヘッダ部に、ステップａ３でヘッダ設定レジスタ２１に設定されたＣＭヘッダコードと同じデータが入力されると、コンパレータ２２のフラグがセットされ、コンパレータ２２から割り込み信号を発生させて制御部１０にその旨を通知する。制御部１０では、ステップａ３でコンパレータ２２のフラグがセットされているか否かが、割り込み信号の有無から検出する。ステップａ３でコンパレータ２２のフラグがセットされている場合（Ｙｅｓ）には同じデータが入力されたものとしてステップ４の処理に移行する。また、ステップａ３でコンパレータ２２のフラグがセットされていない場合（Ｎｏ）には、同じデータが入力されていないものとして、制御部１０によって再度コンパレータ２２のフラグがセットされているかどうかが確認される。要するに、ステップａ３では、ヘッダ設定レジスタ２１に設定されたＣＭヘッダコードと同じデータが受信バッファ２０に入力されるまで待つ。
【００９４】
ステップａ４において、モニタ８の電源がＯＮ状態とされている場合（Ｙｅｓ）にはステップａ６の処理に移行する。モニタ８の電源がＯＮ状態とされていない場合（Ｎｏ）には、ステップａ５の処理に進んで処理を終了する。
【００９５】
その後、ステップａ６において、スピーカ６の電源がＯＮ状態とされている場合（Ｙｅｓ）には、ステップａ８の処理に移行する。スピーカ６の電源がＯＮ状態とされていない場合（Ｎｏ）には、ステップａ７の処理に進んで処理を終了する。
【００９６】
ステップａ８において、制御部１０によって、受信バッファ２０のデータ部からＣＭヘッダ数およびＣＭ番号が抽出され、所定のメモリ（クーポンメモリ１１でもよい）に一時的に保管されて、ステップａ９の処理に移行する。
【００９７】
さらに、ステップａ９において、制御部１０によって、コンパレータ２２のフラグが”ＯＦＦ”状態にリセットされて次の割り込み処理の準備が行われ、次のステップａ１０の処理に移行する。
【００９８】
ステップａ１０において、制御部１０によってヘッダ設定レジスタ２１にクーポンヘッダコードを設定し、ステップａ１１の処理に移行する。
【００９９】
さらに、受信バッファ２０のヘッダ部にステップａ１０においてヘッダ設定レジスタ２１に設定されたクーポンヘッダコードと同じデータが入力されると、コンパレータ２２にフラグがセットされ、コンパレータ２２から割り込み信号を発生させて制御部１０にその旨を通知する。
【０１００】
制御部１０では、ステップａ１１において、コンパレータ２２にフラグがセットされているか否かが、割り込み信号の有無により検出される。ステップａ１１でコンパレータ２２にフラグがセットされている場合（Ｙｅｓ）には、同じデータが入力されたものとしてステップａ１２の処理に移行する。また、ステップａ１１でコンパレータ２２にフラグがセットされていない場合（Ｎｏ）には、同じデータが入力されていないものとして、制御部１０によって再度コンパレータ２２にフラグがセットされているかどうかが確認される。
【０１０１】
ステップａ１２において、制御部１０によって、受信バッファ２０のデータ部に含まれるＣＭ番号、クーポンの点数、有効期限、クーポンが有効な場所（地域）、スポンサーおよび商品などを示すデータなどが抽出されてクーポンメモリ１１に保管されて、次のステップａ１３の処理に進む。
【０１０２】
ステップａ１３において、制御部１０によって、コンパレータ２２のフラグが”ＯＦＦ”状態にリセットされて、次のステップａ１４の処理に進む。
【０１０３】
その後、ステップａ１４において、制御部１０によって、クーポンデータとしてＣＭデータと同じＣＭ番号のもの（ステップａ１２でメモリに格納されたＣＭ番号と、ステップａ８で一時的に保管されたＣＭ番号とが制御部１０により比較される）が受信されているか否かが確認されて、その比較結果が同じＣＭ番号の場合（Ｙｅｓ）には、次のステップａ１６の処理に進む。また、途中でチャンネルが変えられることなどによりＣＭ番号が変化した場合、即ち、その比較結果がステップａ１４で同じＣＭ番号ではない場合（Ｎｏ）には、ステップａ１５の処理に移行して処理を終了する。
【０１０４】
ステップａ１６において、制御部１０によって、１つのＣＭを受信中にＣＭヘッダ数と同数のクーポンヘッダが受信されたか否かが確認されて、ＣＭヘッダ数と同数のクーポンヘッダが受信された場合（Ｙｅｓ）には、次のステップａ２０の処理に移行する。また、ステップａ１６でＣＭヘッダ数と受信されたクーポンヘッダの数とが一致していない場合（Ｎｏ）には、ステップａ１１のフラグ検出処理に戻る。
【０１０５】
次に、ステップａ１６でＣＭヘッダ数と同数のクーポンヘッダが受信された場合（Ｙｅｓ）にステップａ２０の処理に移行し、ステップａ２０において、クーポンデータメモリ１１に同じクーポンデータ（ＣＭ番号により判断）が保管されている場合（Ｙｅｓ）には、ステップａ２１の処理に進む。また、ステップａ２０でクーポンデータメモリ１１に同じクーポンデータが保管されていない場合（Ｎｏ）には、ステップａ２２の処理に進む。
【０１０６】
次に、ステップａ２１において、制御部１０によって、クーポンデータメモリ１１における特定のクーポンのポイント数および有効期限が更新され、必要に応じて視聴地域や時刻などの他のパラメータが更新されてステップａ２３の処理に進んで処理を終了する。
【０１０７】
さらに、ステップａ２２において、特定のクーポン名、有効期限および特定のクーポンのポイント数が新規作成され、必要に応じて視聴地域や時刻などの他のパラメータが新規作成されてステップａ２３の処理に進んで処理を終了する。
【０１０８】
以上のように、制御部１０はＣＰＵ（中央演算処理装置）によりコンピュータ構成されており、制御プログラム１２ａに基づいて、受信部５からＣＭデータおよびクーポンデータを受信して、クーポン付放送信号の選択受信状態が所定期間継続したことを検出した場合に、クーポンデータのクーポン情報をクーポンデータメモリ１１に自動的に蓄積させるクーポン情報蓄積処理を実行させる。
【０１０９】
このクーポン情報蓄積処理は、ヘッダ設定レジスタ２１にＣＭヘッダコードを設定するステップと、受信バッファ２０のヘッダ部に入力されるＣＭデータのヘッダ部とヘッダ設定レジスタ２１に設定されたヘッダコードとが一致したときに、コンパレータ２２にフラグをセットして、コンパレータ２２によって割り込み信号を発生させるステップと、この割り込み信号が制御部１０に通知されると、受信バッファ２０からＣＭデータのデータ部を受信して、そのデータ部に含まれる所定情報（ＣＭ番号）をメモリに一時的に保管するステップと、コンパレータ２２にフラグをリセットさせるステップとを有している。
【０１１０】
これを詳細に説明すると、例えば、ヘッダ設定レジスタ２１にＣＭヘッダコードを設定するステップと、受信バッファ２０のヘッダ部に、ヘッダ設定レジスタ２１に設定されたＣＭヘッダコードと同じデータが入力された場合に、コンパレータ２２にフラグをセットして、コンパレータ２２から割り込み信号を発生させるステップと、割り込み信号の有無を検出するステップと、割り込み信号がある場合に、モニタ８の電源がオン状態であるかどうかを判定し、モニタ８の電源がオン状態の場合に、スピーカ６の電源がオン状態であるかどうかを判定し、スピーカ６の電源がオン状態の場合に、受信バッファ２０のデータ部からＣＭヘッダ数およびＣＭ番号を抽出して、所定のメモリ（クーポンデータメモリ１１でもよい）に一時的に保管するステップと、コンパレータ２２のフラグをリセットさせるステップとを順次実行する。
【０１１１】
また、クーポン情報蓄積処理は、ヘッダ設定レジスタ２１にクーポンヘッダコードを設定するステップと、受信バッファ２０のヘッダ部に入力されるクーポンデータのヘッダ部とクーポンヘッダコードとが一致したときに、コンパレータ２２にフラグをセットして、コンパレータ２２によって割り込み信号を発生させるステップと、この割り込み信号が制御部１０に通知されると、受信バッファ２０に入力されているクーポンデータのデータ部を受信するステップと、このクーポンデータのデータ部に含まれるクーポン情報をクーポンデータメモリ１１に保管するステップと、コンパレータ２２のフラグをリセットさせるステップとをさらに有している。
【０１１２】
これを詳細に説明すると、例えば、ヘッダ設定レジスタ２１にクーポンヘッダコードを設定するステップと、受信バッファ２０のヘッダ部に、ヘッダ設定レジスタ２１に設定されたクーポンヘッダコードと同じデータが入力された場合に、コンパレータ２２にフラグをセットして、コンパレータ２２から割り込み信号を発生させるステップと、割り込み信号の有無を検出するステップと、割り込み信号がある場合に、受信バッファ２０のデータ部から、ＣＭ番号、クーポンの点数、有効期限、クーポンが有効な場所（地域）、スポンサーおよび商品などを示すデータを抽出して、所定のメモリ（クーポンデータメモリ１１でもよい）に保管するステップと、コンパレータ２２のフラグをリセットさせるステップとを順次実行する。
【０１１３】
さらに、クーポン情報蓄積処理は、クーポンデータが、前回入力されたＣＭデータと同じＣＭに関するものであるか否かを検出するステップと、このクーポンデータが、前回入力されたＣＭデータと異なるＣＭに関するものの場合には、処理を終了し、このクーポンデータが、前回入力されたＣＭデータと同じＣＭに関するものの場合には、ＣＭの映像ストリームおよび音声ストリームと同じ出力期間中に送信される複数のＣＭデータおよびクーポンデータが全て受信されたか否かを検出するステップと、これらのＣＭデータおよびクーポンデータが全て受信された場合に、クーポン付放送信号の選択受信状態が所定期間継続したことを検出したものとして、クーポンデータのデータ部に含まれるクーポン情報のメモリへの蓄積を許可するステップと、この許可の場合に、クーポンデータのクーポン情報を所定のクーポンデータメモリ１１に自動的に蓄積させるステップとを有している。
【０１１４】
これを詳細に説明すると、例えば、クーポンデータのＣＭ番号とＣＭデータのＣＭ番号と同じか否かを検出するステップと、クーポンデータのＣＭ番号とＣＭデータのＣＭ番号と同じではない場合に、処理を終了するステップと、クーポンデータのＣＭ番号とＣＭデータのＣＭ番号と同じ場合、１つのＣＭを受信中にＣＭヘッダ数と同数のクーポンヘッダが受信されたか否かを検出するステップと、ＣＭヘッダ数と同数のクーポンヘッダが受信されていない場合に、割り込み信号検出ステップに移行するステップと、ＣＭヘッダ数と同数のクーポンヘッダが受信された場合に、クーポンデータメモリ１１に同じクーポンデータが保管されているかどうかを検出するステップと、クーポンデータメモリ１１に同じクーポンデータが保管されている場合に、クーポンデータメモリ１１における特定のクーポンのポイント数および有効期限を更新するステップと、クーポンデータメモリ１１に同じクーポンデータが保管されていない場合に、特定のクーポン名、有効期限および特定のクーポンのポイント数を新規作成するステップとを順次実行する。
【０１１５】
以上により、本実施形態によれば、分離回路１によって、トランスポートストリームから複数種類の番組やＣＭの映像ストリームおよび音声ストリームと、特定のＣＭを示すＣＭデータと、クーポン情報を示すクーポンデータが分離され、映像デコーダ２、音声デコーダ３およびデータデコーダ４によりデコードされる。データデコーダ４からの出力は受信部５で受信され、制御部１０によってヘッダ部とデータ部からなるＣＭデータとクーポンデータが受信される。制御部１０では、制御プログラム１２ａにしたがって処理が制御され、クーポンデータがクーポンデータメモリ１１に蓄積される。さらに、１つのＣＭに断続的にクーポンデータが付加されている場合、全てのクーポンデータが受信されたときに制御部１０によってクーポンデータメモリ１１へのデータ蓄積が許可される。これによって、クーポン付きＣＭの全部または所定期間を視聴者が視聴した場合に、これを検出してクーポンが有効であると判定して、従来のようにリモートコントローラなどを別途操作することなく、クーポンを自動的に取得することができて、クーポンの取り損ねを防ぐことができる。また、スポンサーにとっては、視聴者により確実にＣＭを視聴してもらうことが可能となる。さらに、クーポンをクーポンメモリに蓄積させておくことによって、その後で本当に必要なクーポンを視聴者の判断によって選択して利用することもできる。
【０１１６】
なお、上記実施形態では、特に説明しなかったが、少なくとも、放送信号から分離されたデータストリーム中に含まれるクーポンデータを抽出可能とする受信部５と、このクーポンデータが抽出され、抽出されたクーポンデータのクーポン情報を所定のメモリに自動的に蓄積制御する制御部１０とを有することによって、クーポンが付加されたＣＭを視聴者が視聴した場合に、従来のように視聴者がリモートコントローラなどを入力操作することなく、クーポンを取り損ねなしに容易かつ確実に取得することができる本発明の目的を達成することができる。
【０１１７】
また、上記実施形態では、時分割多重化された放送信号から、複数種類のＣＭの映像ストリームおよび音声ストリームと、該複数種類のＣＭのうちのクーポンが付加されたものを示すＣＭデータおよび、このＣＭに付加されるクーポン情報を示すクーポンデータを含むデータストリームとに分離するデータ分離回路１を設けたが、これとは別にまたはこれと共に、時分割多重化された放送信号から、複数種類の番組の映像ストリームおよび音声ストリームと、該複数種類の番組のクーポンが付加されたものを示す番組データおよび、この番組に付加されるクーポン情報を示すクーポンデータとを含むデータストリームとに分離するデータ分離回路を設けてもよい。この場合にも、クーポンが付加された番組（連載番組など）を視聴者が視聴した場合に、従来のように視聴者がリモートコントローラなどを入力操作することなく、クーポンを取り損ねなしに容易かつ確実に取得することができる本発明の目的を達成することができる。
【０１１８】
このように、番組データにもクーポンデータを付加する場合を含めて、クーポンデータは、データストリーム中の複数種類の番組および／またはコマーシャルデータに付加されているが、これと共に、各放送局データにもクーポンデータをそれぞれ付加して、どれくらい各放送局の番組を視聴しているのかによってクーポンを付与するようにしてもよい。
【０１１９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１２０】
本発明は、例えばＴＶコマーシャルや番組などを見た視聴者に対してクーポンを発行可能とするディジタル放送受信装置、これを用いたディジタル放送システム、これに用いられる制御プログラムおよびこの制御プログラムが記録されたコンピュータ読み出し可能な可読記録媒体の分野において、簡単なシステムにより、視聴者がクーポン付放送を視聴することによって手動入力操作を行わなくてもクーポンを自動的かつ確実に取得可能であり、クーポンの取り損ねを防ぐことができる。また、スポンサーにとっては、視聴者により確実にＣＭを視聴してもらうことができる。さらに、クーポンをメモリに蓄積させておくことによって、その後で本当に必要なクーポンを視聴者の判断によって選択して利用することができる。
【図面の簡単な説明】
【０１２１】
【図１】本発明の実施形態に係るディジタル放送受信装置の要部構成例を示すブロック図である。
【図２】図１のディジタル放送受信装置における受信部の詳細な要部構成例を示すブロック図である。
【図３】図２の受信バッファに受信されるＣＭデータおよびクーポンデータのフォーマット例を説明するための図である。
【図４】（ａ）〜（ｄ）は、ＣＭデータおよびクーポンデータの例について説明するための図である。
【図５】図１のディジタル放送受信装置において、制御部によって用いられる制御プログラムの処理手順を示すフローチャートである。
【図６】従来のディジタル放送受信装置の要部構成例をを示すブロック図である。
【符号の説明】
【０１２２】
１  データ分離回路
２  ＴＶ映像デコーダ
３  ＴＶ音声デコーダ
４  データデコーダ
５  受信部
６  スピーカ
７  音声制御部
８  モニタ
９  映像制御部
１０  制御部
１１  クーポンデータメモリ
１２  実行プログラムメモリ
１２ａ  制御プログラム
２０  受信バッファ
２１  ヘッダ設定レジスタ
２２  コンパレータ
【図１】
2008147985.tif 000003
【図２】
2008147985.tif 000004
【図３】
2008147985.tif 000005
【図４】
2008147985.tif 000006
【図５】
2008147985.tif 000007
【図６】
2008147985.tif 000008